(57)【要約】【課題】従来の空気調和機では、低圧側の接続配管で圧力損失が大きくなるという課題を有している。【解決手段】室内熱交換器１１６と室内送風機１１８と圧縮機１１１を備えた室内機１０２と、室外熱交換器１１３と室外送風機１１７と膨張弁１１４を備えた室外機１０１とを、液側接続配管１１２とガス側接続配管１１５で接続して、冷房を行う冷凍サイクルを構成している。冷媒は矢印１２３の方向に流れており、圧縮機１１１で圧縮された高温高圧の冷媒が、ガス側冷媒配管１１５を経由して室外機１０１へ送られ、室外熱交換器１１３で凝縮する。冷媒を高圧に圧縮してガス側接続配管１１５へ送り出すため、ガス側接続配管１１５での冷媒の流速を低下させることができ、圧力損失を抑えることができる。【選択図】図１
2011075240.tif 000002
【特許請求の範囲】
【請求項１】
少なくとも１つ以上の、冷媒を吸い込み圧縮して吐出する圧縮手段と、室外機に配設され前記冷媒と室外の空気との熱交換を行う室外熱交換手段と、室内機に配設され前記冷媒と室内の空気との熱交換を行う室内熱交換手段と、前記室外熱交換手段と前記室内熱交換手段の間で前記室外機あるいは前記室内機の液冷媒の多い配管ラインに配設され前記冷媒の流通抵抗を調整して前記冷媒を減圧膨張させる絞り手段と、前記室外機と前記室内機を接続し、主に液冷媒が流れる液側接続配管と主にガス冷媒が流れるガス側接続配管で構成される空気調和機であって、前記室内熱交換手段あるいは前記室外熱交換手段のうち蒸発器となるものと前記ガス側接続配管接続位置の間に前記ガス側接続配管側が吐出口となるよう前記圧縮手段の１つを配設したことを特徴とする空気調和機。
【請求項２】
前記室外機の前記室外熱交換手段と前記ガス側接続配管接続位置の間に第１の圧縮手段を、前記室内機の前記室内熱交換手段と前記ガス側接続配管接続位置の間に第２の圧縮手段を、それぞれ前記ガス側接続配管側が吐出口となるよう配設し、前記第１の圧縮手段は吸入口と吐出口をバイパスする第１のバイパス手段を、前記第２の圧縮手段は吸入口と吐出口をバイパスする第２のバイパス手段を備えており、前記室外熱交換手段が蒸発器となるときに前記第１のバイパス手段を閉鎖して前記第１の圧縮手段を運転し前記第２のバイパス手段を開放して前記第２の圧縮手段は停止し、前記室内熱交換手段が蒸発器となるときに前記第２のバイパス手段を閉鎖して前記第２の圧縮手段を運転し前記第１のバイパス手段を開放して前記第１の圧縮手段を停止することを特徴とする請求項１に記載の空気調和機。
【請求項３】
前記室外熱交換手段と前記ガス側接続配管接続位置の間に第１の圧縮手段を、前記室内機の前記室内熱交換手段と前記ガス側接続配管接続位置の間に第２の圧縮手段をそれぞれ配設し、前記第１の圧縮手段は吸入口と吐出口の接続を切り替える第１の切換手段を、前記第２の圧縮手段は吸入口と吐出口の接続を切り替える第２の切換手段を備えており、前記室外熱交換手段と前記液側接続配管接続位置との間に第１、第２の絞り手段を備え、前記第１の絞り手段と前記第２の絞り手段との間には気液分離手段を配設し、前記気液分離手段から前記第１、第２の絞り手段には液冷媒が流れるように配管接続するとともに、前記気液分離手段からガス冷媒を取り出し前記室外機の前記ガス側接続配管接続位置と前記第１の切換手段の間に戻すガスバイパス手段を有し、前記室外熱交換手段が蒸発器となるときには前記第１の圧縮手段の吐出口が前記ガス側接続配管側と接続するように前記第１の切換手段を設定し前記第２の圧縮手段の吐出口が前記室内熱交換手段と接続するように前記第２の切換手段を設定し、前記室内熱交換手段が蒸発器となるときには前記第２の圧縮手段の吐出口が前記ガス配管側と接続するように前記第２の切換手段を設定し前記第１の圧縮手段の吐出口が前記室外熱交換手段と接続するように前記第１の切換手段を設定して運転することを特徴とする請求項１に記載の空気調和機。
【請求項４】
前記冷媒が、炭素と炭素間に２重結合を有するハイドロフルオロオレフィンを主成分とすることを特徴とする請求項１から請求項３のうちいずれか一項に記載の空気調和機。
【発明の詳細な説明】
【技術分野】
【０００１】
本発明は、冷媒を用いて冷凍、ヒートポンプサイクルを構成して冷媒暖房をおこなう空気調和機に関するもので、特に室内機と室外機を接続配管で繋いでサイクルを構成する装置において、接続配管などにおける圧力損失を低減して性能向上させる技術を提供するものである。
【背景技術】
【０００２】
従来、この種の空気調和機は、数多くの発明が考案実用化されており、冷媒についてもたくさんの種類が使用されている。近年は、代替フロンに対する考え方は、オゾン層の保護に加えて地球の温暖化防止へと進展してきており、自然冷媒や、炭素と炭素間に２重結合を有するハイドロフルオロオレフィンなどの冷媒が注目されている。
【０００３】
ハイドロフルオロオレフィンは、Ｒ１３４ａの代替冷媒として注目されており、自動車用エアコンディショナーへの実用化の検討が推進されている。その温暖化係数（１００年）は４で、Ｒ１３４ａの１，３００、エアコンなどで使用されているＲ４１０Ａの１７３０に比べてきわめて小さい。冷媒物性的にはＲ１３４ａと類似していてＲ４１０Ａに比べると熱物性的には優れているが、比容積が大きいため圧力損失が大きく、室内機と室外機を接続配管で繋いでサイクルを構成するセパレート型の装置においては実機性能は劣る。
【０００４】
もともと、サイクルを構成するセパレート型の装置においては、接続配管が数メートルから数十メートルに及ぶことがあり、接続配管における圧力損失は十分な注意が必要な問題でもある。圧力損失が大きいと、圧縮機の吐出圧力を上昇させる必要が生じたり、吸入圧力が低下したりして圧縮機の負荷が増加する。その結果、装置の効率は低下し電力の消費量が増加する。
【０００５】
従来、セパレート型の空気調和機では、圧力損失が比較的小さい冷媒を用い、能力や接続配管の長さに応じて配管の径を適切な大きさにするなどの工夫を行い、圧力損失が大きくならないように設計されている。従来、接続配管の圧力損失の増加に対しては、配管径を大きくするほかに改善手段として特許文献１のように、膨張弁の後に気液分離器を設け、ガス冷媒を圧縮機へ戻すことで低圧側の冷媒流量を減らし圧力損失を抑える技術がある。さらに、特許文献２のように気液分離器にインジェクションなどの技術と組み合わせて性能の向上を実現する技術もある。
【先行技術文献】
【特許文献】
【０００６】
【特許文献１】特開昭５３−３１２４９号公報
【特許文献２】特公昭５５−４７２９９号公報
【発明の概要】
【発明が解決しようとする課題】
【０００７】
上記従来の空気調和機では、接続配管の圧力損失を減らすために配管径を大きくする場合、施工上の制約から接続配管の径を無制限に大きくすることはできないし、配管長が長くなれば圧力損失の増加も避けることができない。従来の気液分離器や、気液分離器とインジェクションの組み合わせは確かに接続配管の圧力損失を減らすことができるものの、ハイドロフルオロオレフィンなどの比容積が大きい冷媒に対しては十分とはいえず、比容積の大きな冷媒を使用するような場合、さらなる接続配管の圧力損失低減が望まれている。
【０００８】
そこで本発明は、上記従来の課題を解決するもので、接続配管の圧力損失を低減して運転効率を向上させ、消費電力の少ない空気調和機を提供することを目的とする。
【課題を解決するための手段】
【０００９】
上記従来の課題を解決するために、本発明の空気調和機は、少なくとも１つ以上の圧縮する圧縮手段と、室外熱交換手段と、室内熱交換手段と、絞り手段と、前記室外機と前記室内機を接続する、液側接続配管とガス側接続配管で構成され、前記室内熱交換手段あるいは前記室外熱交換手段のうち蒸発器になるものと前記ガス側接続配管接続位置の間に前記ガス側接続配管側が吐出口となるよう前記圧縮手段の１つを配設するものである。これにより、前記ガス側接続配管を流れる冷媒の圧力を上昇させ流速を下げ、圧力損失を低減することができる。
【００１０】
また本発明の空気調和機は、前記室外機の前記室外熱交換手段と前記ガス側接続配管接続位置の間に第１の圧縮手段を、前記室内機の前記室内熱交換手段と前記ガス側接続配管接続位置の間に第２の圧縮手段を、それぞれ前記ガス側接続配管側が吐出口となるよう配設し、前記第１の圧縮手段は吸入口と吐出口をバイパスする第１のバイパス手段を、前記第２の圧縮手段は吸入口と吐出口をバイパスする第２のバイパス手段を備え、前記室外熱交換手段が蒸発器となるときに前記第１のバイパス手段を閉鎖して前記第１の圧縮手段を運転し前記第２のバイパス手段を開放して前記第２の圧縮手段は停止し、前記室内熱交換手段が蒸発器となるときに前記第２のバイパス手段を閉鎖して前記第２の圧縮手段を運転し前記第１のバイパス手段を開放して前記第１の圧縮手段を停止するものである。これにより、冷房であっても暖房であっても、前記ガス側接続配管を流れる冷媒の圧力を上昇させて流速を下げ、圧力損失が低い状態で運転することができる。
【００１１】
また本発明の空気調和機は、前記室外熱交換手段と前記ガス側接続配管接続位置の間に第１の圧縮手段を、前記室内機の前記室内熱交換手段と前記ガス側接続配管接続位置の間に第２の圧縮手段をそれぞれ配設し、前記第１の圧縮手段は吸入口と吐出口の接続を切り替える第１の切換手段を、前記第２の圧縮手段は吸入口と吐出口の接続を切り替える第２の切換手段を備えており、前記室外熱交換手段と前記液側接続配管接続位置との間に第１第２の絞り手段を備え、前記第１の絞り手段と前記第２の絞り手段との間には気液分離手段を配設し、前記気液分離手段から前記第１第２の絞り手段には液冷媒が流れるように配管接続するとともに、前記気液分離手段からガス冷媒を取り出し前記室外機の前記ガス側接続配管接続位置と前記第１の切換手段の間に戻すガスバイパス手段を有し、前記室外熱交換手段が蒸発器となるときには前記第１の圧縮手段の吐出口が前記ガス側接続配管側と接続するように前記第１の切換手段を設定し前記第２の圧縮手段の吐出口が前記室内熱交換手段と接続するように前記第２の切換手段を設定し、前記室内熱交換手段が蒸発器となるときには前記第２の圧縮手段の吐出口が前記ガス配管側と接続するように前記第２の切換手段を設定し前記第１の圧縮手段の吐出口が前記室外熱交換手段と接続するように前記第１の切換手段を設定して運転するものである。これにより、冷房であっても暖房であっても、前記ガス側接続配管を流れる冷媒の圧力を上昇させ流速を下げ圧力損失が低い状態で運転することができるうえに、インジェクションと同様の冷媒サイクルを実現することができる。
【発明の効果】
【００１２】
本発明の空気調和機は、蒸発器の直後に前記圧縮手段を配設するので、前記ガス側接続配管を流れる冷媒の圧力を上昇させ流速を下げ圧力損失を低減することができる。したがって、高い運転効率を実現することができる。
【００１３】
また本発明の空気調和機は、前記室外熱交換手段と前記室内熱交換手段のガス側に吐出
と吸入をバイパスする手段を備えた圧縮機を配設して、冷房運転も暖房運転も１つの圧縮手段を他の圧縮手段が干渉することなく運転させ、前記ガス側接続配管を流れる冷媒の圧力を上昇させ流速を下げ圧力損失が低い状態で運転することができる。したがって、冷房運転、暖房運転のどちらにおいても、高い運転効率を実現することができる。
【００１４】
また本発明の空気調和機は、第１、第２の絞り手段、その間に気液分離手段、前記気液分離手段から前記室外機の前記ガス側接続配管接続位置と前記第１の切換手段の間にガス冷媒を戻すガスバイパス手段を配設し、前記第１、前記第２の切換手段により冷媒の流れ方向を切り替えて、冷房であっても暖房であっても、前記ガス側接続配管を流れる冷媒の圧力を上昇させ流速を下げ圧力損失が低い状態で運転することができるうえに、前記気液分離手段からガス冷媒を第１、第２の圧縮手段の間に戻し、インジェクションと同様の冷媒サイクルを実現することができる。したがって、冷房運転、暖房運転のどちらにおいても、高い運転効率を実現することができるうえに、インジェクション効果により圧力損失低減以上の効率向上を実現することができる。
【図面の簡単な説明】
【００１５】
【図１】本発明の実施の形態１における空気調和機の構成図
【図２】本発明の実施の形態２における空気調和機の構成図
【図３】本発明の実施の形態３における空気調和機の構成図
【発明を実施するための形態】
【００１６】
第１の発明は、前記室内熱交換手段あるいは前記室外熱交換手段のうち蒸発器になるものと前記ガス側接続配管接続位置の間に前記ガス側接続配管側が吐出口となるよう前記圧縮手段の１つを配設し、前記ガス側接続配管を流れる冷媒の圧力を上昇させるものである。これにより、前記ガス側接続配管を流れる冷媒の密度を上げ、流速を下げて、圧力損失を低減することができる。したがって、高い運転効率を実現することができる。
【００１７】
第２の発明は、第１の発明において、前記室外熱交換手段と前記室内熱交換手段のガス側に吐出と吸入をバイパスする手段を備えた圧縮機を配設して、冷房運転も暖房運転も蒸発器出口側に配設された圧縮手段を他の圧縮手段が干渉することなく運転させ、前記ガス側接続配管を流れる冷媒の圧力を上昇させるものである。これにより、冷房運転および暖房運転の両方において、前記ガス側接続配管を流れる冷媒の密度を上げ、流速を下げて、圧力損失を低減することができる。したがって、冷房運転、暖房運転のどちらにおいても、高い運転効率を実現することができる。
【００１８】
第３の発明は、第１の発明において、前記第１、前記第２の切換手段により冷媒の流れ方向を切り替えるとともに、第１第２の絞り手段、その間に気液分離手段、前記気液分離手段から前記室外機の前記ガス側接続配管接続位置と前記第１の切換手段の間にガス冷媒を戻すガスバイパス手段を配設し、前記気液分離手段からガス冷媒を第１、第２の圧縮手段の間に戻すものである。これにより、冷房であっても暖房であっても、前記ガス側接続配管を流れる冷媒の圧力を上昇させ流速を下げ圧力損失が低い状態で運転することができるうえに、インジェクションと同様の冷媒サイクルを実現することができる。したがって、冷房運転、暖房運転のどちらにおいても、高い運転効率を実現することができるうえに、インジェクション効果により圧力損失低減以上の効率向上を実現することができる。
【００１９】
第４の発明は、第１、第２、第３の発明のうちいずれかにおいて、炭素と炭素間に２重結合を有するハイドロフルオロオレフィンを主成分とする冷媒を使用するものである。これにより、前記冷媒の温暖化係数を低減することができる。したがって、環境負荷の少ない空気調和機を提供することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における空気調和機の構成図を示すものである。図１に示すように、第１の実施の形態における空気調和機は、室内熱交換手段である室内熱交換器１１６と室内送風手段である室内送風機１１８と、圧縮手段である圧縮機１１１を備えた室内機１０２と、室外熱交換手段である室外熱交換器１１３、室外送風手段である室外送風機１１７、絞り手段である膨張弁１１４を備えた室外機１０１とを、液側接続配管１１２とガス側接続配管１１５で接続して、冷房を行う冷凍サイクルを構成している。液側接続配管１１２とガス側接続配管１１５の接続位置が、室外液側配管接続口１１９、室外ガス側配管接続口１２０、室内ガス側配管接続口１２１、室内液側配管接続口１２２となっている。
【００２２】
図１において、冷媒は矢印１２３の方向に流れており、圧縮機１１１で圧縮された高温高圧の冷媒がガス側冷媒配管１１５を経由して室外機１０１へ送られ、室外熱交換器１１３で凝縮する。室外熱交換器１１３で凝縮した冷媒は膨張弁１１４で減圧膨張し、液側冷媒配管１１２を経由して室内機１０２へ送られ、室内熱交換器１１１で気化し、室内１０３を冷房して圧縮機１１１に戻る。
【００２３】
従来の空気調和機であれば、圧縮機１１１は室外機１０１の室外ガス側配管接続口１２０と室外熱交換器１１３の間に配設される。この構成であれば、蒸発後の圧力が低く流速の早いガス冷媒が通るガス側接続配管１１５での圧力損失が大きくなり、圧縮機の冷媒吸入圧が低下しやすくなる。冷媒吸入圧が低下すると冷媒の循環量が低下し能力が低下する。従来は比較的圧力損失の小さい冷媒を使用し、能力ランクに合わせてガス側接続配管の径を大きくして能力の低下を抑えてきた。
【００２４】
一方、近年は地球温暖化に対する影響削減が重要視され、エアコンディショナーに対しては、運転効率の向上に加え、温暖化係数の小さな冷媒を使用することが望まれている。温暖化係数の小さな冷媒として有力視されている冷媒の１つとして、炭素と炭素間に２重結合を有するハイドロフルオロオレフィンがある。
【００２５】
炭素と炭素間に２重結合を有するハイドロフルオロオレフィンは、比容積が大きく冷媒として使用すると圧力損失を生じやすく、従来の構成では冷房時のガス側冷媒配管において特に大きな圧力損失を生じる。この冷媒に対しては、施工上の制約からガス側接続配管の径を無制限に大きくすることはできず性能低下が避けられない。
【００２６】
そこで、本発明では図１に示したように圧縮機１１１を室内機１０２の室内熱交換器１１６と室内ガス側配管接続口１２２の間に配設し、室内熱交換器１１６で蒸発した冷媒を吸い込んで高圧に圧縮してガス側接続配管１１５へ送り出すため、ガス側接続配管１１５での冷媒の流速が低下し、圧力損失を抑えることができる。
【００２７】
従って、本発明の空気調和機では、炭素と炭素間に２重結合を有するハイドロフルオロオレフィンのような比容積が大きくて圧力損失を生じやすい冷媒を使用しても優れた性能を実現し、環境性にも優れた空気調和機を提供することができる。
【００２８】
以上のように、第１の実施の形態として、冷房を行う空気調和機に適応した場合について説明したが、暖房を行う空気調和機の場合、圧縮機は室外機側に配設され、ガス側接続配管を圧縮昇圧した冷媒が流れるようにすることで、同様の効果を得ることができる。
【００２９】
また、第１の実施の形態では、室内機１０２にのみ圧縮機１１１を配設したが、実際の装置においては室内機のサイズに制約があり必要な大きさの圧縮機を配設できない場合も想定できる。その際には、小型軽量の圧縮機、あるいは冷媒を昇圧するブースターを配設し、室外機にも能力不足を補うために圧縮機を配設すれば容易に室内機の構成が実現できる。
【００３０】
（実施の形態２）
図２は、本発明の第２の実施の形態における空気調和機の構成図を示すものである。第２の実施の形態では、第１の圧縮手段である室外圧縮機２３１と第１のバイパス手段である室外バイパス弁２３２、第２の圧縮手段である室内圧縮機２３３と第２のバイパス手段である室内バイパス弁２３を配設しており、冷房暖房どちらの場合にもガス側接続配管１１５を圧縮昇圧した冷媒が流れるようにし、ガス側接続配管１１５での冷媒の流速を低下させ、圧力損失を抑えることができる。
【００３１】
冷房運転時は、室内バイパス弁２３４を閉じて室内圧縮機２３３を運転し、室外バイパス弁２３２は開き、室外圧縮機２３１は停止させて、矢印２３５の向きに冷媒を流す。逆に暖房運転時は、室内バイパス弁２３４を開いて室内圧縮機２３３を停止し、室外バイパス弁２３２を閉じて室外圧縮機２３１を運転させて矢印２３６の向きに冷媒を流す。当然、室外圧縮機２３１、室内圧縮機２３３はどちらもガス側接続配管１１５に向かって圧縮冷媒を吐出するよう配設されている。
【００３２】
これにより、冷房暖房どちらの場合にも、ガス側接続配管１１５は高圧の冷媒が流れることになり、流速を下げて圧力損失を抑えることができ優れた性能を実現できる。さらに、炭素と炭素間に２重結合を有するハイドロフルオロオレフィンのような温暖化係数の小さな冷媒を用いれば、性能にも環境性にも優れた空気調和機を提供することができる。
【００３３】
また、第２の実施の形態では、室外バイパス弁２３２と室内バイパス弁２３４を配設し、室外圧縮機２３１あるいは室内圧縮機２３３どちらか１つを運転することでガス側接続配管１１５の圧力損失低減を実現しているが、バイパス弁を四方弁としても構成可能である。そして、冷房時は矢印２３５の向きに、暖房時は矢印２３６の向きに冷媒が流れるように、２つの圧縮機を冷暖ともに運転するようにすれば、冷房時はガス側接続配管１１５の圧力損失低減が、暖房時は２段圧縮による暖房能力の向上が実現できる。２台の圧縮機を使用するので大きさの制限が厳しい室内圧縮機を小型軽量化することが可能で、室内機の構成が容易になる。
【００３４】
（実施の形態３）
図３は、本発明の第３の実施の形態における空気調和機の構成図を示すものである。第３の実施の形態では、室外圧縮機２３１、室内圧縮機２３３に、バイパス弁ではなく冷媒の流れ方向を切換える第１の切換手段である室外四方弁３４１、第２の切換手段である室内四方弁３４２が接続されている。そして、冷房時には矢印２３５、暖房時には矢印２３６の方向に冷媒が流れるよう室外四方弁３４１、室内四方弁３４２が制御される。
【００３５】
また、室外機１０１には、室外熱交換器１１３と室外液配管接続口１１９に、第１の絞り手段である第１膨張弁３４４、気液分離手段である気液分離器３４５、第２の絞り手段である第２膨張弁３４６が設けられている。そして、気液分離器３４５の上部から取り出し、室外四方弁３４１と室外ガス配管接続口１２０の間に戻すガス冷媒の流れを制御する、ガスバイパス手段であるガスバイパス弁３４７が配設されている。
【００３６】
第３の実施の形態において、ガス側接続配管１１５内の冷媒は常に中間圧となっており、冷媒の流速は低圧時より遅くなり圧力損失を低減することができる。
【００３７】
また、第１膨張弁３４４、第２膨張弁３４６、ガスバイパス弁３４７を調整して気液分離器３４５の上部に生じたガス冷媒を、室外四方弁３４１と室外ガス配管接続口１２０の間つまり室外圧縮機２３１と室内圧縮機２３３の間の中間圧部に戻すことで、インジェクションサイクルが構成される。その結果、蒸発器側へ回るガス冷媒の量を減らし、蒸発器側の圧力損失を減らすことができ、全ての冷媒が低圧から高圧へ圧縮されていた状態から、一部の冷媒が中間圧から高圧へ圧縮されるようになることや、中間圧に戻す冷媒により中間圧での冷媒温度を下げ、比エントロピーのより小さな断熱圧縮線に沿って圧縮してやることができるので圧縮機の動力を削減することができる。
【００３８】
つまり第３の実施の形態では、ガス側接続配管１１５での圧力損失低減に加えインジェクションの効果が得られ、さらに効率向上を実現することができる。さらに第１、第２の実施の形態同様、炭素と炭素間に２重結合を有するハイドロフルオロオレフィンのような温暖化係数の小さな冷媒を用いれば、性能にも環境性にも優れた空気調和機を提供することができる。
【産業上の利用可能性】
【００３９】
以上のように、本発明にかかる空気調和機は、ガス側接続配管での冷媒流速を低下させ、圧力損失を抑え、炭素と炭素間に２重結合を有するハイドロフルオロオレフィンのような比容積が大きくて圧力損失を生じやすい冷媒を使用しても優れた性能を実現することができ、消費電力の点でも冷媒の温暖化係数が小さい点からも、環境性に優れている。
【００４０】
そして、セパレート型の空気調和機だけに止まらず、冷凍機やヒートポンプ式の温水器などに広く適用することができ効果をもたらすものである。特に凝縮器と蒸発器が離れているような場合には大きな効果を得ることができる。
【符号の説明】
【００４１】
１０１  室外機
１０２  室内機
１０３  空調室
１１１  圧縮機
１１２  ガス側接続配管
１１３  室外熱交換器
１１４  膨張弁
１１５  液側接続配管
１１６  室内熱交換器
１１７  室外送風機
１１８  室内送風機
２３１  室外圧縮機
２３２  室外バイパス弁
２３３  室内圧縮機
２３４  室内バイパス弁
３４１  室外四方弁
３４２  室内四方弁
３４４  第１膨張弁
３４５  気液分離器
３４６  第２膨張弁
【図１】
2011075240.tif 000003
【図２】
2011075240.tif 000004
【図３】
2011075240.tif 000005